(57)【要約】【課題】面の粗い壁面やコンクリート土間面等にもマークが付き易く、無理な姿勢によらないで簡単にマーキングすることができ、墨出しマーキングの誤差を軽減できるマーカーを提供する。【解決手段】両端が開口した角筒状の外枠２と、一端側にスタンプ部３を備え他端側に押し部４を備えて、スタンプ部３が外枠２の一端から出没自在で押し部４が外枠２の他端から常時突出する状態に外枠２内に嵌挿される押し枠５と、外枠２と押し枠５との間に介装され、スタンプ部３が外枠２の一端からその内部に没入すると共に押し部４が外枠２の他端から離れるように押し枠５を付勢するバネ９とからなり、バネ９の付勢力に抗して押し部４を押すことにより、スタンプ部３を外枠２の一端から突出させてマーキングする。【選択図】図１
0003127620.tif 000002
【実用新案登録請求の範囲】
【請求項１】
両端が開口した角筒状の外枠と、一端側にスタンプ部を備え他端側に押し部を備えて、スタンプ部が外枠の一端から出没自在で押し部が外枠の他端から常時突出する状態に外枠内に嵌挿される押し枠と、外枠と押し枠との間に介装され、スタンプ部が外枠の一端からその内部に没入すると共に押し部が外枠の他端から離れるように押し枠を付勢するバネとからなり、バネの付勢力に抗して押し部を押すことにより、スタンプ部を外枠の一端から突出させてマーキングするようにしたマーカー。
【請求項２】
外枠には、バネの付勢力によって押し部が外枠の他端側から必要以上に離れないように押し枠の移動を制限するストッパーを設けてなる請求項１に記載のマーカー。
【請求項３】
押し枠は、バネの付勢力に抗して押し部を押した時にスタンプ部の先端面が押し枠の一端側開口面と平行に突出するように、バネによって付勢されると共に外枠内にスライド自在に支持されている請求項１に記載のマーカー。
【請求項４】
押し枠は、バネの付勢力に抗して押し部を押した時にスタンプ部の先端面が押し枠の一端側開口面に対し傾斜した状態で突出するように、バネを介して外枠に軸支されている請求項１に記載のマーカー。
【請求項５】
外枠の外側面所要部を両面粘着テープによってレベル用標尺の下端部に取り付けるようにした請求項１〜４の何れかに記載のマーカー。
【考案の詳細な説明】
【技術分野】
【０００１】
本考案は、例えば墨出し作業において墨出し位置を建物の壁面や床面（土間面）などにマークする（印す）のに使用するマーカーに関するものである。
【背景技術】
【０００２】
建物の施工における同一レベルの墨出し作業において、例えば標尺を垂直に保ちながら標尺の基準点を基準レベルに合致させて、水準器で標尺の目盛りを読み取り、この読み取った目盛り位置に赤鉛筆などでマークを付け、次に墨出しすべき部位に標尺を移動して当接し、水準器での読み取りレベルが前記マークに合致するように標尺を位置決めし、標尺の基準位置にて、鉛筆などで墨出しすべき部位に墨出しマーキングを行っている。
【考案の開示】
【考案が解決しようとする課題】
【０００３】
上記のように鉛筆などで墨出しすべき位置にマーキングを行うと、鉛筆の芯が折れ易い上に、特に土間などは面が粗いためにマークが付きにくく、また標尺を使用する場合には作業者は標尺を両手で保持していることから、マーキングを行なう時には作業者は一方の手で標尺を持ち、他方の手で、つまり片手でマーキングを行なうため、マーキングを行なう手がブレ易く、墨出しマーキングの誤差を生じ易い、といった問題があった。
【０００４】
本考案は、上記のような課題に鑑み、面の粗い壁面やコンクリート土間面などにもマークが付き易く、また無理な姿勢によらないで簡単にマーキングを行なうことができ、墨出しマーキングの誤差を軽減することのできるマーカーを提供することを目的とする。
【課題を解決するための手段】
【０００５】
上記課題を解決するための手段を、後述する実施形態の参照符号を付して説明すると、請求項１に係る考案のマーカーは、両端が開口した角筒状の外枠２と、一端側にスタンプ部３を備え他端側に押し部４を備えて、スタンプ部３が外枠２の一端から出没自在で押し部４が外枠２の他端から常時突出する状態に外枠２内に嵌挿される押し枠５と、外枠２と押し枠５との間に介装され、スタンプ部３が外枠２の一端からその内部に没入すると共に押し部４が外枠２の他端から離れるように押し枠５を付勢するバネ９とからなり、バネ９の付勢力に抗して押し部４を押すことにより、スタンプ部３を外枠２の一端から突出させてマーキングするようにしたことを特徴とする。
【０００６】
請求項２は、請求項１に記載のマーカーにおいて、外枠２には、バネ９の付勢力によって押し部４が外枠２の他端側から必要以上に離れないように押し枠５の移動を制限するストッパー１０を設けてなることを特徴とする。
【０００７】
請求項３は、請求項１に記載のマーカーにおいて、押し枠５は、バネ９の付勢力に抗して押し部４を押した時にスタンプ部３の先端面３ａが押し枠５の一端側開口面と平行に突出するように、バネ９によって付勢されると共に外枠２内にスライド自在に支持されていることを特徴とする。
【０００８】
請求項４は、請求項１に記載のマーカーにおいて、押し枠５は、バネ９の付勢力に抗して押し部４を押した時にスタンプ部３の先端面３ａが押し枠５の一端側開口面に対し傾斜した状態で突出するように、バネ９を介して外枠２に軸支されていることを特徴としている。
【０００９】
請求項５は、請求項１〜４の何れかに記載のマーカーにおいて、外枠２の外側面所要部を両面粘着テープ１７によってレベル用標尺１５の下端部に取り付けるようにしたことを特徴とする。
【考案の効果】
【００１０】
上記解決手段による考案の効果を、後述する実施形態の参照符号を付して説明すると、請求項１に係る考案によれば、レベル墨出しマーキングを行なう時は、図４に示すように例えばマーカー１をレベル用標尺１５の下端に取り付けておいて、標尺１５を垂直に保ちながらマーカー１を基準レベルの基準点Ａに合致させ、水準器１８で標尺１５の目盛りを読み取り、次いで建物１９の墨出しすべき部位に標尺１５を移動させ、水準器１８での読み取りレベルに合致するように標尺１５を位置決めして静止させ、その位置でマーカー１の押し部４を足の先部等で押して、スタンプ部３を外枠２から突出させることにより、墨出しマーキングを行なうことができる。
【００１１】
この際、標尺１５は一人の作業者が両手で垂直位置に保持するようになっているので、従来のように鉛筆などで墨出しマーキングを行なうとすれば、作業者は一方の手で標尺を持ち、他方の手でマーキングを行なう必要があって、マーキングを行なう手がブレ易く、マーキングの誤差を生じ易いが、標尺１５の下端に本考案のマーカー１を取り付けていることから、作業者は標尺１５を両手で持ったまま、マーカー１の押し部４を足の先部や側面部などで押すことによってマーキングできるので、墨出しマーキングの誤差を極力軽減できる。このマーキングはスタンプ部３を使用するから、面の粗い壁面や土間面などにもマークが付き易くなる。
【００１２】
また、図５に示すように、コンクリート土間などの所定位置に形成した基準線Ｂから所定長離れた位置にこれと平行な線Ｃを墨出しするために墨出しマーキングを行なう時は、例えば一人の作業者がケース２２から引き出したスケール２１の基端部２１ａを基準線Ｂに合わせて固定し、もう一人の作業者がスケール２１の所定の目盛りのところにマーカー１，１１を置いて、一方の手で巻き尺２０のケース２２を固定し、他方の手でマーカー１，１１を位置決めしながら固定し、その位置でマーカー１，１１の押し部４を押すことによって、簡単容易に墨出しマーキングを行なうことができる。
【００１３】
請求項２に記載のように、外枠２には、バネ９の付勢力により押し部４が外枠２の他端側から必要以上に離れないように押し枠５の移動を制限するストッパー１０を設けることが望ましい。
【００１４】
請求項３に記載のように、押し枠５は、バネ９の付勢力に抗して押し部４を押した時にスタンプ部３の先端面３ａが押し枠５の一端側開口面と平行に突出するように、バネ９によって付勢させると共に外枠２内にスライド自在に支持させてもよい。
【００１５】
請求項４に記載のように、押し枠５は、バネ９の付勢力に抗して押し部４を押した時にスタンプ部３の先端面３ａが押し枠５の一端側開口面に対し傾斜した状態で突出するように、バネ９を介して外枠２に軸支させてもよい。
【００１６】
請求項５に記載のように、押し部４の外側面所要部を両面粘着テープ１７によってレベル用標尺１５の下端部に取り付けるようにすることができる。
【考案を実施するための最良の形態】
【００１７】
以下に本考案の好適な実施形態を図面に基づいて説明すると、図１の(a) は本考案に係るマーカーの一部縦断面正面図、(b) はマーカーの右側面図、(c) は(a) のＶ−Ｖ線断面図、(d) は(a) のＷ−Ｗ線断面図、(e) はマーカーの底面図である。
【００１８】
ここに示すマーカー１は、両端（ここでは上下両端）が開口した角筒状の外枠２と、一端（下端）側にスタンプ部３を備え、他端（上端）側に押し部４を形成して、スタンプ部３が外枠２の一端（下端）から出没自在で押し部４が外枠２の他端（上端）から常時突出する状態に外枠２内にスライド自在に嵌挿される押し枠５と、外枠２と押し枠５との間に介装されていて、スタンプ部３が外枠２の一端からその内部に没入すると共に押し部４が外枠２の他端から離れるように押し枠４を付勢するバネ９とから構成され、押し枠５は、バネ９の付勢力に抗して押し部４を押した時にスタンプ部３の先端面３ａが押し枠５の一端（下端）側開口面と平行に突出するように、バネ９によって付勢されると共に外枠２内にスライド自在に支持されている。
【００１９】
上記マーカー１の構造について詳しく説明すれば、外枠２は、例えば合成樹脂材によって、前後側壁２ａ，２ａと左右側壁２ｂ，２ｂとからなる横断面が細長矩形を成す角筒状に形成されている。押し枠５は、押し部４と共に合成樹脂材により一体に形成され、この押し枠５は、前後側面５ａ，５ａ及び左右側面５ｂ，５ｂが角筒状外枠２の前後側壁２ａ，２ａ及び左右側壁２ｂ，２ｂの夫々内面に対し摺接しうる状態で外枠２内にスライド自在に嵌挿支持されている。押し部４は、図１の(a) ，(b) から分かるように、その外周面が角筒状外枠２の外周面と面一になるように押し枠５よりも太く形成されている。
【００２０】
押し枠５の前後側面５ａ，５ａの何れか一方に正面視矩形状の凹所７が設けてあって、この凹所７の底面中央部にバネ取付軸８が突設され、このバネ取付軸８にバネ９の巻線部９ｏが嵌装されると共に、バネ９の一端部９ａが凹所７の一側壁面７ａに当接され、その他端部９ｂは凹所７と対向する外枠２の側壁２ａ所要部に突設された左右２つのストッパーピン１０，１０の片方に当接され、それによって押し枠５は、図１の(a) ，(d) の実線図示のように、スタンプ部３が外枠２の一端からその内部に没入すると共に押し部４が外枠２の他端から所要長さだけ離れる状態に保持され、しかして図１の(a) ，(d) の実線図示の状態からバネ９の付勢力に抗して押し枠５の押し部４を押すと、押し部４を押している間はスタンプ部３が外枠２の一端（ここでは下端）から同図(a) ，(d) の仮想線図示のように一部突出して、壁面や床面などの所要のマーキング面にマーキングするようになっている。
【００２１】
上記スタンプ部３は、例えば細長矩形体状のスポンジに顔料系のインクが染み込ませたものからなるもので、上記のようにバネ９の付勢力に抗して押し部４を押した時に、このスタンプ部３の下端部が外枠２の一端から突出して、建物の壁面、土間の床面等にマークが付けられるようになっている。スタンプ部３の色としては、例えば赤色のものと黒色のものとの２種類あるいはそれ以上複数種類ある。
【００２２】
上記ストッパーピン１０，１０は、バネ９の付勢力によって押し部４が側枠１の他端（ここでは上端）側から必要以上に離れないよう押し枠５の移動を制限するように、押し枠５の凹所７と対向する外枠２の側壁２ａに凹所７を臨む所要位置に並設されている。
【００２３】
図２の(a) は本考案に係る他のタイプのマーカーの一部縦断面正面図、(b) はマーカーの右側面図、(c) は(a) のＸ−Ｘ線断面図、(d) は(a) のＹ−Ｙ線断面図、(e) はマーカーの底面図である。
【００２４】
図１によって説明した前記マーカー１は、バネ９の付勢力に抗して押し部４を押した時にスタンプ部３の先端面３ａが押し枠５の一端（ここでは下端）側開口面と平行に突出するようにバネ９によって付勢されると共に側枠１内にスライド自在に支持されているが、この図２に示すマーカー１１は、バネ９の付勢力に抗して押し部４を押した時にスタンプ部３の先端面３ａが押し部４の一端（下端）側開口面に対し傾斜した状態で突出するように、バネ９を介して側枠１に傾転可能に軸支されている。
【００２５】
即ち、マーカー１１は、上下両端が開口した角筒状の外枠２と、下端側にスタンプ部３を備え且つ上端側に押し部４を形成して、スタンプ部３が外枠２の下端から出没自在で押し部４が外枠２の上端から常時突出する状態に外枠２内に嵌挿される押し枠５と、外枠２と押し枠５との間に介装されていて、押し部４を押した時にスタンプ部３の先端面３ａが押し部４の下端側開口面に対し傾斜した状態で突出するように押し枠５を付勢するバネ９とから構成され、押し枠５は、上端側寄りで左右方向一端部（図２の(a) では右側端部）側位置で枢軸１２によって外枠２に枢着されている。押し部４は、図２の(a) に関して、左側の端部４ａが右側の端部４ｂより一段高く形成されていて、この一段高い端部４ａを押すようになっている。
【００２６】
押し枠５は、図２の(b) に示すように、前後側面５ａ，５ａが外枠２の前後側壁２ａ，２ａの夫々内面に対し摺接自在に支持されているが、左右側面５ｂ，５ｂが外枠２の左右側壁２ｂ，２ｂの夫々内面に対し離間した状態で外枠２内に嵌挿され、特に図２の(a) に示すように、押し枠５の左側面５ｂと外枠２の左側壁２ｂとの間の間隔が広く、押し枠５の右側面５ｂと外枠２の右側壁２ｂとの間の間隔が狭くなっていて、図２の(a) に関して押し部４の左側端部４ａを押すと、押し枠５が同図の仮想線図示のように枢軸１２を中心に傾転して、スタンプ部３の先端面３ａがその左端部側から先に突出するようになっている。スタンプ部３は、マーカー１のものと同じで、スポンジに顔料系のインクが染み込ませたものからなる。
【００２７】
また図２の(a) に示すように、押し枠５の前側面５ａにはその右上端部側に、比較的小さな矩形状の凹所７が設けてあって、この凹所７の底面上部に前記枢軸１２が突設され、この枢軸１２にバネ９の巻線部９ｏが嵌装されると共に、バネ９の一端部９ａが凹所７の上側壁面７ａに当接され、その他端部９ｂは、図２の(a) ，(c) に示すように、外枠２の右側壁２ｂの内面に添接され、それによって押し枠５は、図２の(a) ，(d) の実線図示のように、スタンプ部３が外枠２の下端からその内部に没入すると共に押し部４が外枠２の上端から所要長さだけ離れる状態に保持され、しかして図２の(a) の実線図示の状態からバネ９の付勢力に抗して押し部４の端部４ａ側を押すと、この押し部４を押している間はスタンプ部３が同図の仮想線図示のように先端面３ａが押し部４の下端側開口面に対し傾斜した状態で突出するようになっている。
【００２８】
図２の(a) において、１３はバネ９の付勢力によって押し部４が外枠２の他端側から必要以上に離れないように押し枠５の移動を制限するストッパーで、このストッパー１３は外枠２の左側壁２ｂ内面に突設されていて、その突出端部は、押し枠５の左側端部中央に切欠形成された切欠部１４の下端縁に係止されている。
【００２９】
次に、上記のように構成されるマーカー１，１１の使用方法について説明すると、先ず図３の(a) は、例えばマーカー１をレベル用標尺１５の下端に取り付けた状態の正面図、(b) は(a) のＺ−Ｚ線断面図であり、図４はマーカー１を取り付けた標尺１５を使用してレベル墨出しマーキングを行なう場合を示す。レベル用標尺１５は、表面に目盛り１６を有するもので、この標尺１５の下端面にマーカー１の外枠２の前後何れかの側壁２ａを両面粘着テープ１７で固着することにより、マーカー１を標尺１５の下端に取り付ける。
【００３０】
こうしてマーカー１を取り付けた標尺１５を、図４に示すように、水平面に対し垂直に保ちながらマーカー１を基準レベルの基準点Ａに合致させ、そして水準器１８で標尺１５の目盛り１６を読み取る。次いで、建物１９の墨出しすべき部位に標尺１５を移動させ、水準器１８での読み取りレベルに合致するように標尺１５を位置決めして静止させ、その位置でマーカー１の押し部４を例えば足の先等で押して、スタンプ部３の先端部を外枠２から突出させることにより、墨出しマーキングを行なう。
【００３１】
レベル墨出し作業では、一人の作業者が標尺１５を両手で持って垂直に保持するので、従来のように鉛筆などで墨出しマーキングを行なうとすれば、作業者は一方の手で標尺を持ち、他方の手でマーキングを行なう必要があるため、マーキングを行なう手がブレ易く、従って墨出しマーキングの誤差を生じ易くなるが、標尺１５の下端に本考案のマーカー１を取り付けていることから、作業者は標尺１５を両手で持ったまま、マーカー１の押し部４を足の先部や側面部で押して簡単にマーキングできるので、墨出しマーキングの誤差を極力軽減することができる。また、このマーキングはスタンプ部３を使用するから、面の粗い壁面、木製の杭、コンクリートの土間面などにもマークが付き易くなる。
【００３２】
図５は本考案のマーカー１，１１と巻き尺２０を使用して例えばコンクリート土間などの墨出しマーキングを行なう場合を示したもので、(a) は巻き尺２０のスケール２１をケース２２から所要長さ引き出し、その引き出した位置にマーカー１，１１を置いてマーキングを行なおうとしている状態を示す斜視図であり、(b) はマーキング作業を行なっている状態を示す斜視図である。
【００３３】
即ち、(b) に示すように、例えばコンクリート土間の所定位置に形成した基準線Ｂから所定長さ離れた位置にこれと平行な線Ｃを墨出しするために墨出しマーキングを行なう時は、図示のように例えば一人の作業者がケース２２から引き出したスケール２１の基端部２１ａを基準線Ｂに合わせて固定し、もう一人の作業者がスケール２１の所定の目盛りのところにマーカー１，１１を置いて、一方の手で巻き尺２０のケース２２を固定し、他方の手でマーカー１，１１を適宜に位置決めしながら固定し、その位置でマーカー１，１１の押し部４を押すことによって、コンクリート土間に対し簡単に墨出しマーキングを行なうことができる。
【図面の簡単な説明】
【００３４】
【図１】(a) は本考案に係るマーカーの一部縦断面正面図、(b) はマーカーの右側面図、(c) は(a) のＶ−Ｖ線断面図、(d) は(a) のＷ−Ｗ線断面図、(e) はマーカーの底面図である。
【図２】(a) は本考案に係る他のタイプのマーカーの一部縦断面正面図、(b) はマーカーの右側面図、(c) は(a) のＸ−Ｘ線断面図、(d) は(a) のＹ−Ｙ線断面図、(e) はマーカーの底面図である。
【図３】(a) はマーカーを標尺の下端に取り付けた状態の正面図、(b) は(a) のＺ−Ｚ線断面図である。
【図４】マーカーを取り付けた標尺を使用してレベル墨出しを行なう場合を示す説明図である。
【図５】(a) 及び(b) は本考案のマーカーと巻き尺を使用してコンクリート土間などの墨出しマーキングを行なう場合を示す説明斜視図である。
【符号の説明】
【００３５】
１，１１      マーカー
２            外枠
３            スタンプ部
４            押し部
５            押し枠
９            バネ
１０          ストッパー
【図１】
0003127620.tif 000003
【図２】
0003127620.tif 000004
【図３】
0003127620.tif 000005
【図４】
0003127620.tif 000006
【図５】
0003127620.tif 000007